(57)【特許請求の範囲】
【請求項１】
印刷対象データを印刷する際に用いる印刷設定を取得する印刷設定取得部と、
前記印刷設定取得部に取得された印刷設定を印刷動作用に設定する設定部と、
前記設定部に設定された印刷設定を蓄積する印刷設定記憶部と、
前記印刷設定記憶部に蓄積されている各印刷設定の設定項目のうち、予め定められた２つの設定項目に注目し、設定値が共通して設定されている方の設定項目をその設定値と併せて共通印刷形式として解析すると共に、設定値が変化している方の設定項目を注目設定項目として解析した後、前記印刷設定記憶部に蓄積されている複数の前記設定項目のうち、前記注目設定項目の設定値が最も小さい場合の設定内容を基準設定内容とし、前記共通印刷形式として解析された設定項目及び前記注目設定項目以外の設定項目の中から、前記基準設定内容と比較して異なる設定値が選択された回数が最大の設定項目を最も変更されやすい設定項目とし、前記最も変更されやすい設定項目から前記回数が多い順に変更されやすい設定項目を検出する印刷形式解析部と、
前記印刷設定取得部において印刷設定が取得された場合に、当該印刷設定が示す印刷形式と、当該印刷設定の取得時において解析されている前記共通印刷形式とが一致するか否かを判断する判断部とを備え、
前記設定部は、前記取得された印刷設定が示す印刷形式と前記共通印刷形式とが不一致であると前記判断部によって判断された場合に、当該取得された印刷設定の設定項目を、前記共通印刷形式と一致するまで、前記最も変更されやすい設定項目から順番に変更する設定装置。
【請求項２】
ユーザからユーザ固有の識別情報が入力される識別情報入力部を更に備え、
前記印刷形式解析部は、前記識別情報入力部に入力された識別情報毎に、前記印刷形式の解析を行う請求項１に記載の設定装置。
【請求項３】
前記印刷形式解析部は、前記印刷設定取得部に取得された印刷設定が示すファイル形式又はファイル名毎に、前記印刷形式の解析を行う請求項１又は２に記載の設定装置。
【請求項４】
画像データに基づく画像形成を行う画像形成部と、
請求項１乃至請求項３のいずれかに記載の設定装置とを備え、
前記設定装置の前記印刷設定受付部は、前記画像形成部による画像形成動作の設定を前記印刷設定として入力を受け付ける画像形成装置。
【発明の詳細な説明】
【技術分野】
【０００１】
本発明は、設定装置及び画像形成装置に関し、印刷設定を入力する際の技術に関する。
【背景技術】
【０００２】
今日、画像形成装置等においては、多様な印刷設定（印刷向き、拡大縮小、余白、使用印刷面、頁集約等）が可能であり、ユーザは、操作装置の操作により所望の印刷設定が入力できる。また、下記特許文献１に示されるように、ユーザが印刷に用いたデータファイル種別及びこれに用いた印刷設定とを対応付けて記憶部に記憶しておき、次回ユーザがデータファイルの印刷を行う場合に、この印刷に用いる印刷設定の候補として、上記記憶部に当該データファイルの種別に対応付けて記憶されている印刷設定を読み出し、当該印刷設定をユーザに提示する印刷装置が知られている。
【先行技術文献】
【特許文献】
【０００３】
【特許文献１】特開２００８−２５７３８３号公報
【発明の概要】
【発明が解決しようとする課題】
【０００４】
上記特許文献１に記載の印刷装置は、印刷設定入力時における操作の手間を軽減させるが、過去に用いられたデータファイル等についての印刷設定を印刷設定候補としてユーザに提示するものに過ぎない。印刷設定入力時には、各ユーザにより様々な内容の印刷設定が操作装置に入力されるため、当該データファイル種別等の特徴情報を足掛かりとした印刷設定候補の提示よりも、更にユーザの好みに適した印刷設定を設定可能にすることが望まれる。
【０００５】
本発明は、上記の問題を解決するためになされたもので、特別な操作を行うことなく、印刷設定入力時に、従来よりも更にユーザの好みに適した印刷設定を用いた印刷を可能にすることを目的とする。
【課題を解決するための手段】
【０００６】
本発明の請求項１に記載の発明は、印刷対象データを印刷する際に用いる印刷設定を取得する印刷設定取得部と、
前記印刷設定取得部に取得された印刷設定を印刷動作用に設定する設定部と、
前記設定部に設定された印刷設定を蓄積する印刷設定記憶部と、
前記印刷設定記憶部に蓄積されている各印刷設定の設定項目のうち、予め定められた２つの設定項目に注目し、設定値が共通して設定されている方の設定項目をその設定値と併せて共通印刷形式として解析すると共に、設定値が変化している方の設定項目を注目設定項目として解析した後、前記印刷設定記憶部に蓄積されている複数の前記設定項目のうち、前記注目設定項目の設定値が最も小さい場合の設定内容を基準設定内容とし、前記共通印刷形式として解析された設定項目及び前記注目設定項目以外の設定項目の中から、前記基準設定内容と比較して異なる設定値が選択された回数が最大の設定項目を最も変更されやすい設定項目とし、前記最も変更されやすい設定項目から前記回数が多い順に変更されやすい設定項目を検出する印刷形式解析部と、
前記印刷設定取得部において印刷設定が取得された場合に、当該印刷設定が示す印刷形式と、当該印刷設定の取得時において解析されている前記共通印刷形式とが一致するか否かを判断する判断部とを備え、
前記設定部は、前記取得された印刷設定が示す印刷形式と前記共通印刷形式とが不一致であると前記判断部によって判断された場合に、当該取得された印刷設定の設定項目を、前記共通印刷形式と一致するまで、前記最も変更されやすい設定項目から順番に変更する。
【０００７】
この発明によれば、設定部により印刷動作用に設定された印刷設定を印刷設定記憶部が記憶しておき、印刷形式解析部が、当該記憶されている各印刷設定の設定項目により共通して設定されている共通印刷形式を解析する。そして、判断部が、印刷設定取得部に印刷設定が取得された場合に、当該取得された印刷設定が示す印刷形式と、当該印刷設定の取得時において解析されている前記共通印刷形式とが一致するか否かを判断し、この判断が不一致であるときに、設定部が、当該取得された印刷設定の設定項目を、上記共通印刷形式を示す内容に変更する。これにより、当該設定装置のユーザは、特別な操作を行うことなく、過去の履歴からユーザの好みに適していると想定される上記共通印刷形式を示す印刷設定での印刷が可能になる。
【０００９】
また、この発明によれば、印刷形式解析部が、共通印刷形式の解析時、印刷設定記憶部に記憶されている印刷設定であって、当該共通印刷形式を示す印刷設定の設定項目の変更経歴により示される傾向を更に解析し、設定部が、当該傾向に従って、上記取得された印刷設定の設定項目の変更を行うので、当該取得された印刷設定の設定項目を上記共通印刷形式に合うように変更するに止まらず、当該過去の設定項目の変更経歴が示す傾向に従った更にユーザの好みに適していると想定される印刷設定での印刷が可能になる。
また、請求項２に記載の発明は、請求項１に記載の設定装置であって、ユーザからユーザ固有の識別情報が入力される識別情報入力部を更に備え、
前記印刷形式解析部は、前記識別情報入力部に入力された識別情報毎に、前記印刷形式の解析を行うものである。
【００１０】
この発明によれば、何ら特別な操作を行うことなく、識別情報を入力したユーザは、過去の履歴から当該ユーザ自身の好みに適していると想定される上記共通印刷形式を示す印刷設定での印刷を行うことが可能になる。
【００１１】
また、請求項３に記載の発明は、請求項１又は２に記載の設定装置であって、前記印刷形式解析部は、前記印刷設定取得部に取得された印刷設定が示すファイル形式又はファイル名毎に、前記印刷形式の解析を行うものである。
【００１２】
この発明によれば、何ら特別な操作を行うことなく、過去の履歴からユーザの好みに適していると想定される上記共通印刷形式を示す印刷設定での印刷をファイル形式又はファイル名毎に行うことが可能になる。
【００１３】
また、請求項４に記載の発明は、画像データに基づく画像形成を行う画像形成部と、
請求項１乃至請求項３のいずれかに記載の設定装置とを備え、
前記設定装置の前記印刷設定受付部は、前記画像形成部による画像形成動作の設定を前記印刷設定として入力を受け付ける画像形成装置である。
【００１４】
この発明によれば、請求項１乃至請求項３のいずれかに記載の発明による作用と同様の作用を得ることができる。
【発明の効果】
【００１５】
本発明によれば、特別な操作を行うことなく、印刷設定入力時に、従来よりも更にユーザの好みに適した印刷設定を用いた印刷が可能になる。
【図面の簡単な説明】
【００１６】
【図１】本発明の一実施形態に係る画像形成装置の内部構造の概略を示す図である。
【図２】操作部の一例を示す図である。
【図３】図１に示す画像形成装置の電気的な構成を示すブロック図である。
【図４】画像形成装置による印刷時の処理の基本形態を示す図である。
【図５】画像形成装置による印刷時の処理において共通印刷形式を解析する場合の第１実施形態を示す図である。
【図６】初期画面の一例を示す図である。
【図７】印刷設定記憶部に記憶されている各印刷設定及びその設定項目の一例を示す図である。
【図８】印刷設定記憶部に記憶されている各印刷設定及びその設定項目の一例を示す図である。
【図９】画像形成装置による印刷時の処理において共通印刷形式を解析する場合の第２実施形態を示す図である。
【図１０】識別情報の入力画面の一例を示す図である。
【図１１】印刷設定記憶部に記憶されている各印刷設定及びその設定項目の一例を示す図である。
【図１２】印刷設定記憶部に記憶されている各印刷設定及びその設定項目の一例を示す図である。
【図１３】印刷設定記憶部に記憶されている各印刷設定及びその設定項目の一例を示す図である。
【発明を実施するための形態】
【００１７】
以下、本発明の一実施形態に係る設定装置、これを備える画像形成装置、及び印刷設定入力プログラムについて図面を参照して説明する。図１は本発明の一実施形態に係る画像形成装置の内部構造の概略を示す図である。画像形成装置１は例えば、カラーコピー、カラープリンタ及びカラーファクシミリ機能を有するデジタル複合機である。画像形成装置１はタンデム方式であり、装置本体１００と装置本体１００の上に配置された画像読取部２００を備える。
【００１８】
画像読取部２００はＣＣＤ(Charge Coupled Device)等によって画像(文字、図、写真等)を読み取り、画像データとして出力する。画像読取部２００はカラー画像を読み取る機能を有する。これによりカラーコピー及びカラーファクシミリの送信が可能となる。
【００１９】
装置本体１００は用紙貯留部１１０、画像形成部１３０を備える。本実施形態では、画像形成部１３０は、定着部１６０を含むものとして説明する。
【００２０】
用紙貯留部１１０は装置本体１００の最下部に配置されており、用紙Ｐの束を貯留することができる用紙トレイ１１１を備えている。用紙トレイ１１１は装置本体１００に差し込んで装着される。用紙Ｐを補給するときは装置本体１００から用紙トレイ１１１を引き出す。用紙トレイ１１１に貯留された用紙Ｐの束において、最上位の用紙Ｐがピックアップローラ１１３の駆動により、用紙搬送路１１５へ向けて繰り出される。用紙Ｐは用紙搬送路１１５を通って、画像形成部１３０へ搬送される。
【００２１】
画像形成部１３０は搬送されてきた用紙Ｐにトナー画像を形成する。画像形成部１３０はトナー画像を転写ベルト１３１に転写する順番に従って配置された、マゼンタ用ユニット１３３Ｍ、シアン用ユニット１３３Ｃ、イエロー用ユニット１３３Ｙ、ブラック用ユニット１３３Ｋを備える。これらのユニットは同様の構成を有しており、マゼンタ用ユニット１３３Ｍを例にして説明する。
【００２２】
マゼンタ用ユニット１３３Ｍは感光体ドラム１３５及び露光装置１３７を備える。感光体ドラム１３５の周りには帯電器１３９、現像装置１４１及びクリーナ１４３が配置されている。帯電器１３９は感光体ドラム１３５の周面を一様に帯電させる。露光装置１３７は画像データ(画像読取部２００から出力された画像データ、パソコンから送信された画
像データ、ファクシミリ受信の画像データ等)の中でマゼンタのデータに対応する光を生
成し、一様に帯電された感光体ドラム１３５の周面に照射する。これにより、感光体ドラム１３５の周面にはマゼンタのパターンの静電潜像が形成される。この状態で感光体ドラム１３５の周面に現像装置１４１からマゼンタトナーを供給することにより、周面にはマゼンタのパターンのトナー画像が形成される。
【００２３】
転写ベルト１３１は感光体ドラム１３５と１次転写ローラ１４５により挟まれた状態で時計周りに動くことができる。マゼンタのパターンのトナー画像は感光体ドラム１３５から転写ベルト１３１に転写される。感光体ドラム１３５の周面に残っているマゼンタトナーはクリーナ１４３によって除去される。以上がマゼンタ用ユニット１３３Ｍの説明である。
【００２４】
マゼンタ用ユニット１３３Ｍ、シアン用ユニット１３３Ｃ、イエロー用ユニット１３３Ｙ、ブラック用ユニット１３３Ｋの上方には、対応する色のトナーを収容したコンテナ、すなわち、マゼンタトナー用コンテナ１４７Ｍ、シアントナー用コンテナ１４７Ｃ、イエロートナー用コンテナ１４７Ｙ、ブラックトナー用コンテナ１４７Ｋが配置されている。各色の現像装置１４１には対応するコンテナからトナーが補給される。
【００２５】
上述したように転写ベルト１３１にはマゼンタのパターンのトナー画像が転写され、このトナー画像に重ねてシアンのパターンのトナー画像が転写され、同様に、イエローのパターンのトナー画像、ブラックのパターンのトナー画像が重ねて転写される。これにより転写ベルト１３１にカラーのトナー画像が形成される。このように各色のパターンのトナー画像を転写ベルト１３１に重畳して転写することにより、転写ベルト１３１にカラーのトナー画像が形成される。カラーのトナー画像は２次転写ローラ１４９によって、先ほど説明した用紙貯留部１１０から搬送されてきた用紙Ｐに転写される。
【００２６】
カラーのトナー画像が転写された用紙Ｐは定着部１６０に送られる。定着部１６０は加熱ローラ１６１と定着ローラ１６３に定着ベルト１６５が掛けられた構造を有する。定着ベルト１６５は定着ローラ１６３と加圧ローラ１６７により挟まれている。これらのローラによって、カラーのトナー画像が転写された用紙Ｐが挟まれる。これにより、カラーのトナー画像と用紙Ｐに熱と圧力が加えられて、カラーのトナー画像を用紙Ｐに定着させる。用紙Ｐは排紙トレイ１６９に排紙される。
【００２７】
図２に示すように、操作部４００は、表示部４０６、テンキー４０２、各種操作ボタン４０３，４０４、スタートボタン４０１、機能選択ボタン４０５等を備える。表示部４０６は、ＬＣＤ（Liquid Crystal Display）やＥＬＤ（Electronic Luminescent Display）等によって構成され、画像形成装置１の各種初期設定値の入力操作画面や、紙サイズ選択、倍率選択、濃度選択等の選択操作画面等、所定の操作画面が表示される。
【００２８】
テンキー４０２は、例えば、画像形成装置１のコピー機能動作中はコピー枚数を、ファクシミリ機能動作中は送信先の電話番号等をユーザが入力するためのものである。スタートボタン４０１はコピー動作やスキャナ動作等を開始させるボタンであり、ストップ／クリアボタン４０３はコピー動作やスキャナ動作等の停止、入力操作の取り消しを行うボタンである。リセットボタン４０４は表示部４０６の表示や各種設定を初期状態又は標準動作状態にするボタンである。機能選択ボタン４０５は、コピー機能、プリンタ機能、スキャナ機能、ファクシミリ機能を設定するためのボタンである。
【００２９】
図３は図１に示す画像形成装置１の電気的な構成を示すブロック図である。画像形成装置１は装置本体１００、画像読取部２００、制御ユニット３００、操作部４００及び通信部５００がバスによって相互に接続された構成を有する。装置本体１００及び画像読取部２００に関しては図１で説明しているので、説明を省略する。
【００３０】
制御ユニット３００は、ＣＰＵ(Central Processing Unit)、ＲＯＭ(Read Only Memory)、ＲＡＭ(Random Access Memory)及び画像メモリ等を備える。ＣＰＵは、ＲＯＭに記憶されたプログラムに従って、画像形成装置１を動作させるために必要な機能を実行する。ＲＯＭは、画像形成装置１の動作の制御に必要な上記プログラムを記憶している。ＲＡＭは、当該プログラムの実行時に発生するデータの一時的な記憶及びアプリケーションソフト実行時の作業領域として利用される。
【００３１】
制御ユニット３００は、制御部３０１、表示制御部３０２、設定部３０３、印刷設定記憶部３０４、印刷形式解析部３０５、判断部３０６、識別情報記憶部３０７を備える。なお、本実施形態では、制御ユニット３００のＣＰＵが、後述するデータ記憶部６００に記憶されている印刷設定入力プログラムに従って動作することにより、後述する印刷設定入力に必要な動作に関しての制御部３０１、表示制御部３０２、設定部３０３、印刷設定記憶部３０４、及び識別情報記憶部３０７として機能し、更に、印刷形式解析部３０５、及び判断部３０６として機能する。
【００３２】
制御部３０１は、画像形成装置１の全体的な動作制御を司る。制御部３０１は、印刷設定入力に必要な動作を画像形成装置１の各機構に行わせる制御も行う。表示制御部３０２は、表示部４０６に各種画像データを用いて画面を表示させるための表示制御を行う。
【００３３】
設定部３０３は、ネットワークＩ／Ｆ部（印刷設定取得部）５０３が、当該画像形成装置１にネットワーク接続されたパーソナルコンピュータから受信したプリントジョブに含まれる印刷設定を印刷動作用に設定する。また、設定部３０３は、判断部３０６によって、上記ネットワークＩ／Ｆ部５０３に取得された印刷設定が示す印刷形式と共通印刷形式とが不一致であると判断された場合に、当該取得された印刷設定の設定項目を、後述する共通印刷形式を示す内容に変更する。表示部４０６は、表示制御部３０２の制御の下、当該設定部３０３により印刷設定か変更される旨又は変更内容をユーザに対して表示する。
【００３４】
印刷設定記憶部３０４は、不揮発性メモリ等を備え、上記ネットワークＩ／Ｆ部５０３により受信されたプリントジョブに含まれる印刷設定が示す各設定項目や、設定部３０３により共通印刷形式を示す内容に変更された印刷設定を記憶する。すなわち、印刷設定記憶部３０４は、過去に画像形成部１３０により実行された印刷に用いられた各印刷設定のログを記憶する。なお、印刷設定記憶部３０４は、制御ユニット３００の一部が機能してもよいし、データ記憶部６００を印刷設定記憶部３０４として機能させてもよい。
【００３５】
当該印刷設定は、複数の設定項目（例えば、印刷の向き、拡大縮小印刷、用紙サイズ、印刷品質、先頭ページ番号、余白、ページ中央、ページ/フッター、両面印刷、ページ集約、フォントサイズ、印刷範囲、印刷ページ数、印刷枚数、印刷タイトル、ファイル形式等）について入力された値により定まる。
【００３６】
印刷形式解析部３０５は、印刷設定記憶部３０４に記憶されている各印刷設定により共通して設定されている共通印刷形式を解析する。この共通印刷形式の詳細については後述する。
【００３７】
判断部３０６は、上記ネットワークＩ／Ｆ部５０３に印刷設定が取得された場合に、当該印刷設定が示す印刷内容、すなわち印刷形式と、当該印刷設定の取得時において印刷形式解析部３０５により既に解析されている共通印刷形式とが一致するか否かを判断する。
識別情報記憶部３０７は、不揮発性メモリ等を備え、当該画像形成装置１の操作が許可された識別情報（例えば、ユーザID等）を記憶している。
【００３８】
操作部４００は、ユーザから画像形成装置１についての印刷設定の入力を受け付けると共に、ユーザからユーザ固有の識別情報の入力を受け付ける。
【００３９】
通信部５００はファクシミリ通信部５０１及びネットワークＩ／Ｆ部５０３を備える。ファクシミリ通信部５０１は相手先ファクシミリとの電話回線の接続を制御するＮＣＵ(Network Control Unit)及びファクシミリ通信用の信号を変復調する変復調回路を備える。ファクシミリ通信部５０１は電話回線５０５に接続される。
【００４０】
ネットワークＩ／Ｆ部５０３はＬＡＮ(Local Area Network)５０７に接続される。ネットワークＩ／Ｆ部５０３はＬＡＮ５０７に接続されたパソコン等の端末装置との間で通信を実行するための通信インターフェイス回路である。
【００４１】
データ記憶部６００は、表示部４０６に表示させるための各種の表示画面データ（操作画面のデータ）等が記憶されている。
【００４２】
次に、画像形成装置１による印刷時の処理の基本形態について説明する。図４は画像形成装置１による印刷時の処理の基本形態を示す図である。
【００４３】
画像形成装置１においては、印刷時における基本的な処理として、以下が行われる。ネットワークＩ／Ｆ部５０３が、画像形成装置１にネットワーク接続されているパーソナルコンピュータ等から、印刷対象データを含むプリントジョブを受信したとき（Ｓ１でＹＥＳ）、制御部３０１は、当該プリントジョブが示す印刷設定に従って画像形成部１３０の印刷動作を設定し（Ｓ２）、当該印刷対象データを、当該プリントジョブが示す印刷設定で画像形成部１３０に印刷を行わせる（Ｓ３）。そして、制御部３０１は、印刷設定記憶部３０４に、当該印刷に用いた印刷設定、すなわち、当該印刷設定を構成する各設定項目を記憶させる（Ｓ４）。なお、Ｓ３及びＳ４の処理はどちらが先に行われてもよい。また、Ｓ１でプリントジョブをネットワークＩ／Ｆ部５０３が受信しない場合は（Ｓ１でＮＯ）、Ｓ１の処理が繰り返される（プリントジョブを待機）。
【００４４】
次に、画像形成装置１による印刷時の処理において共通印刷形式を解析する場合の第１実施形態を説明する。図５は画像形成装置１による印刷時の処理において共通印刷形式を解析する場合の第１実施形態を示す図である。この第１実施形態は、上記基本形態に、共通印刷形式を解析する処理を加えたものである。
【００４５】
この第１の実施形態において、図５では特に図示していないが、ユーザによる操作部４００の操作に基づいて、制御部３０１は、共通印刷形式を解析する処理を実行する旨の指示を受け付ける。例えば、画像形成装置１の電源オン時に表示部４０６に表示制御部３０２が表示させる初期画面Ｇ１（図６参照）には、共通印刷形式設定ボタンＢ１が表示され、この共通印刷形式設定ボタンＢ１をユーザが押下すると、タッチパネル機能により、共通印刷形式を解析する処理を実行する旨の指示が操作部４００に入力され、制御部３０１が当該指示を受け付ける。制御部３０１は、当該指示の受付の有無に応じて、共通印刷形式の解析を実行するか否かの設定を記憶する。なお、制御部３０１は、画像形成装置１にネットワーク接続されているパーソナルコンピュータ等から、共通印刷形式を解析する処理を実行する旨の指示を、ネットワークＩ／Ｆ部５０３を介して受信することによって、当該指示を受け付けるようにしてもよい。
【００４６】
そして、ネットワークＩ／Ｆ部５０３が、画像形成装置１にネットワーク接続されているパーソナルコンピュータ等から、印刷対象データを含むプリントジョブを受信したとき（Ｓ１１でＹＥＳ）、制御部３０１は、共通印刷形式の解析を実行する旨の設定を記憶しているか否かを判断する（Ｓ１２）。
【００４７】
制御部３０１が、共通印刷形式の解析を実行する旨の設定を記憶していないと判断したとき（Ｓ１２でＮＯ）、図４に示した基本形態のＳ２以降が実行される（Ｓ１９）。また、制御部３０１が、共通印刷形式の解析を実行する旨の設定がされていると判断したとき（Ｓ１２でＹＥＳ）、印刷形式解析部３０５が、印刷設定記憶部３０４に記憶されている各印刷設定が示す設定項目に基づいて共通印刷形式の解析を実行する（Ｓ１３）。この共通印刷形式とは、印刷設定記憶部３０４に記憶されている、過去にユーザが用いた各印刷設定で共通して採用されている１つの印刷内容を示す。共通印刷形式の解析とは、印刷設定記憶部３０４に記憶されている各印刷設定の設定項目から導き出される１つの印刷内容を特定して、当該特定した印刷内容を上記共通印刷形式として検出することをいう。
【００４８】
印刷設定記憶部３０４に、図７に示すような４つの印刷設定が記憶されている場合を例にして、上記共通印刷形式の解析を説明する。印刷設定記憶部３０４に記憶されている４つの印刷設定は、ユーザ１が用いた印刷設定は、「印刷の向き  縦」「拡大縮小印刷  100(％)」「用紙サイズ  A4」「印刷品質  600(dpi)」「先頭ページ番号  自動」「余白  2.5(mm)」「ページ中央  水平」「ページ/フッター  指定しない」「両面印刷  片面」「ページ集約  なし」「フォントサイズ  10(dot)」「印刷範囲  250(mm)×200(mm)」「印刷ページ数  1(頁)」「印刷枚数  1(枚)」「印刷タイトル  技術説明書_01」「ファイル形式  ワードファイル」という各設定項目である。なお、以下に設定項目を述べる場合、各単位は省略する。
【００４９】
また、ユーザ２が用いた印刷設定は、「印刷の向き  縦」「拡大縮小印刷  50」「用紙サイズ  A4」「印刷品質  600」「先頭ページ番号  自動」「余白  2.5」「ページ中央  水平」「ページ/フッター  指定しない」「両面印刷  片面」「ページ集約  なし」「フォントサイズ  10」「印刷範囲  500×400」「印刷ページ数  1」「印刷枚数      1」「印刷タイトル  技術説明書_02」「ファイル形式  ワードファイル」である。すなわち、ユーザ２は、「拡大縮小印刷  50」「印刷範囲  500×400」を、ユーザ１の印刷設定とは異ならせている。なお、「印刷タイトル」「ファイル形式」については、印刷内容の特定に関与しないため、ここでは検討しない。
【００５０】
また、ユーザ３が用いた印刷設定は、「印刷の向き  縦」「拡大縮小印刷  50」「用紙サイズ  A4」「印刷品質  600」「先頭ページ番号  自動」「余白  0.5」「ページ中央  水平」「ページ/フッター  指定しない」「両面印刷  片面」「ページ集約  なし」「フォントサイズ  10」「印刷範囲   600×500」「印刷ページ数  1」「印刷枚数     1」「印刷タイトル  技術説明書_03」「ファイル形式  ワードファイル」である。すなわち、ユーザ３は、「拡大縮小印刷  50」「余白  0.5」「印刷範囲  600×500」を、ユーザ１の印刷設定とは異ならせている。
【００５１】
また、ユーザ４が用いた印刷設定は、「印刷の向き  縦」「拡大縮小印刷  50」「用紙サイズ  A3」「印刷品質  600」「先頭ページ番号   自動」「余白  0.5」「ページ中央  水平」「ページ/フッター  指定しない」「両面印刷  片面」「ページ集約  なし」「フォントサイズ  8」「印刷範囲  800×600」「印刷ページ数  1」「印刷枚数  1」「印刷タイトル  技術説明書_05」「ファイル形式  ワードファイル」である。すなわち、ユーザ３は、「拡大縮小印刷  50」「用紙サイズ  A3」「余白  0.5」「フォントサイズ  8」「印刷範囲  800×600」を、ユーザ１の印刷設定とは異ならせている。
【００５２】
この場合における共通印刷形式解析部３０５による１つの共通印刷形式の検出方法として、「印刷範囲」及び「印刷枚数」に注目する方法がある。この「印刷範囲」及び「印刷枚数」に注目する例の場合、共通印刷形式解析部３０５は、「印刷範囲」の値は互いに異なり複数存在していることと、「印刷枚数  1」を採用している、という傾向があることを検出する。そして、共通印刷形式解析部３０５は、各ユーザが用いた印刷設定間において値に変化が見られる他の項目を検出する。図７に示す例の場合、「拡大縮小印刷」「用紙サイズ」「余白」「フォントサイズ」「印刷範囲」が、共通印刷形式解析部３０５により、印刷設定間において値に変化が見られる項目として検出される。
【００５３】
さらに、共通印刷形式解析部３０５は、当該「印刷範囲」及び「印刷枚数」に注目して共通印刷形式を解析する方法においては、上記変化が見られた各設定項目について、「印刷範囲」が大きくなるに連れて、これら各設定項目がどのように変化しているかを解析する。この図７に示す例の場合、共通印刷形式解析部３０５は、「印刷範囲」が小さい順に各印刷設定を検討して、「印刷範囲」が大きくなると「拡大縮小印刷」が最初に変更され、２番目に「余白」、３番目に「用紙サイズ」「フォントサイズ」が変更されていることを検出する。さらに、共通印刷形式解析部３０５は、「拡大縮小印刷」は「50」に変更されてこれが下限（例えば、値を小さくする方向に変更され、2回以上連続して同じ値が続き、以降変更無しとなっていることをもって、当該連続した値が下限と判断）、「余白」は「0.5」に変更されてこれが下限（判断は、「拡大縮小印刷」の場合と同様）を検出する。
【００５４】
これにより、印刷形式解析部３０５は、「印刷範囲」及び「印刷枚数」に注目した場合、(1)「印刷枚数  1」が共通して設定されていること、(2)「印刷範囲」が大きくなると、第１に「拡大縮小印刷」、第２に「余白」、第３に「用紙サイズ」及び「フォントサイズ」の両方、の順に変更されること、(3)「拡大縮小印刷」は「50」が下限、(4)「余白」は「0.5」が下限である、という当該(1)〜(4)により示される傾向を検出する。
【００５５】
このように印刷形式解析部３０５が、共通印刷形式及び上記傾向を検出した場合（Ｓ１３でＹＥＳ）、判断部３０６が、Ｓ１１で受信した印刷設定が示す印刷形式と、上記Ｓ１３で解析された共通印刷形式とが一致するか否かを判断する（Ｓ１４）。
【００５６】
判断部３０６が、Ｓ１１で受信した印刷設定が示す印刷形式と、上記Ｓ１３で解析された共通印刷形式とが一致しないと判断した場合は（Ｓ１４でＮＯ）、設定部３０３が、当該Ｓ１で受信したプリントジョブの印刷設定を、上記共通印刷形式の解析において得られた上記傾向に合致するように変更する（Ｓ１５）。設定部３０３は、当該変更した印刷設定を印刷用に設定し（Ｓ１６）、制御部３０１は、当該印刷設定で、画像形成部１３０を動作させて印刷を実行する（Ｓ１７）。なお、上記Ｓ１５に示した印刷設定の変更が行われた場合は、表示制御部３０２が、表示部４０６に、Ｓ１１で受信した印刷設定が、上記共通印刷形式の解析において得られた上記傾向に合致する内容に変更された旨、又は当該変更された内容を示すメッセージを表示させるようにしてもよい。更に、表示部４０６は、この場合、上記Ｓ１７での印刷終了後も、予め定められた一定時間（例えば、1分間等）は当該メッセージ表示を引き続き表示部４０６に行わせるようにしてもよい。これによれば、画像形成装置１にネットワーク接続されたパーソナルコンピュータからプリントジョブを当該画像形成装置１に送信したユーザが、画像形成装置１に印刷物を取りに来たとき、当該印刷物が上記共通印刷形式の示す内容に変更されていることを、表示部４０６に表示されている表示内容により当該ユーザに把握させることができる。
【００５７】
引き続き上記例で説明すると、Ｓ１１で受信したプリントジョブの示す印刷設定では、印刷範囲「600×500」とされ、「拡大縮小印刷  100」「余白  2.5」「用紙サイズ  A4」「フォントサイズ  2.5」「印刷ページ数  2」「印刷枚数  2」となっているとき、印刷範囲の広狭に拘わらず、印刷枚数は1枚を採用するという上記解析された傾向に反していると判断部３０６により判断されるため、設定部３０３は、当該傾向に合わせて「印刷枚数  2」を「印刷枚数  1」に変更する。これと共に、設定部３０３は、「印刷範囲  600×500」を「印刷枚数  1」での印刷を可能とするために、上記共通印刷形式の解析において変更対象とされていると検出した「拡大縮小印刷」「用紙サイズ」「余白」「フォントサイズ」について、上記傾向が示す「拡大縮小印刷」，「余白」，「用紙サイズ」及び「フォントサイズ」の変更順に値を変更して、「印刷ページ数」が「1」となるようにする。この例では、設定部３０３は、まず、上記傾向に従って、「拡大縮小印刷」を「50」に変更する。この変更により、「印刷範囲  600×500」は「印刷ページ数  1」での印刷が可能となるので、設定部３０３は設定変更をここで終了する。
【００５８】
また、例えば、上記受信されたプリントジョブが印刷範囲「800×600」とされ、「拡大縮小印刷  100」「余白  2.5」「用紙サイズ  A4」「フォントサイズ  2.5」「印刷ページ数  1」「印刷枚数  3」となっているときは、印刷範囲の広狭に拘わらず印刷枚数は1枚を採用するという上記傾向に反しているため、設定部３０３は、「印刷枚数  3」を「印刷枚数  1」に変更すると共に、「印刷範囲  800×600」を「印刷枚数  1」での印刷可能とするために、上記共通印刷形式の解析において変更対象にされていると検出した「拡大縮小印刷」「用紙サイズ」「余白」「フォントサイズ」について、上記傾向が示す「拡大縮小印刷」，「余白」，「用紙サイズ」及び「フォントサイズ」の変更順に値を変更して、「印刷ページ数」が「1」となるようにする。この例では、設定部３０３は、上記傾向に従って、まず、「拡大縮小印刷」を「50」に変更する。この変更では「印刷範囲  800×600」は「印刷ページ数  1」での印刷が可能とならないが、この「50」が「拡大縮小印刷」の下限値なので、設定部３０３は、次に「余白」を「0.5」に変更する。この変更では「印刷範囲  800×600」は「印刷ページ数  1」での印刷が可能とならないが、この「0.5」が「余白」の下限値なので、設定部３０３は、続いて、「フォントサイズ」を8に変更すると共に、更に用紙サイズをA3に変更する。この変更により、「印刷範囲  800×600」は「印刷ページ数  1」での印刷が可能となるので、設定部３０３は、設定変更をここで終了する。
【００５９】
なお、印刷形式解析部３０５が、共通印刷形式及び上記傾向を検出しなかった場合（Ｓ１３でＮＯ）、すなわち、印刷設定記憶部３０４に記憶されている各印刷項目の示す設定項目で特定される印刷内容に、共通する共通印刷形式が存在しない場合は、設定部３０３は、Ｓ１で受信したプリントジョブが示す印刷設定を印刷用に設定し（Ｓ１６）、制御部３０１は、当該印刷設定で、画像形成部１３０を動作させて印刷を実行する（Ｓ１７）。また、判断部３０６が、Ｓ１１で受信した印刷設定が示す印刷形式と、上記Ｓ１３で解析された共通印刷形式とが一致すると判断した場合も（Ｓ１４でＹＥＳ）、設定部３０３は、Ｓ１で受信したプリントジョブが示す印刷設定を印刷用に設定し（Ｓ１６）、制御部３０１は、当該印刷設定で、画像形成部１３０を動作させて印刷を実行する（Ｓ１７）。そして、制御部３０１は、上記Ｓ１６で今回の印刷用に設定された印刷設定（Ｓ１５で変更された内容の印刷設定、及びＳ１１で受信した印刷設定のいずれの場合も含む）を印刷設定記憶部３０４に記憶させる（Ｓ１８）。
【００６０】
ここで、共通印刷形式の解析及びこれに基づく印刷設定の他の例を説明する。設定項目は上記各例と同様である。
【００６１】
図８に示す他の例では、ユーザ１が用いた印刷設定は、「印刷の向き  縦」「拡大縮小印刷  100」「用紙サイズ  A4」「印刷品質  600」「先頭ページ番号  自動」「余白  2.5」「ページ中央  水平」「ページ/フッター  指定しない」「両面印刷  片面」「ページ集約  なし」「フォントサイズ  10」「印刷範囲  250×200」「印刷ページ数  1」「印刷枚数  1」「印刷タイトル  技術説明書_01」「ファイル形式  ワードファイル」である。
【００６２】
また、ユーザ２が用いた印刷設定は、「印刷の向き  縦」「拡大縮小印刷  100」「用紙サイズ  A4」「印刷品質  600」「先頭ページ番号  自動」「余白  2.5」「ページ中央  水平」「ページ/フッター  指定しない」「両面印刷  片面」「ページ集約  2」「フォントサイズ  10」「印刷範囲     500×400」「印刷ページ数  2」「印刷枚数  1」「印刷タイトル  技術説明書_02」「ファイル形式  ワードファイル」である。すなわち、ユーザ２は、「ページ集約  2」「印刷ページ数  2」「印刷範囲   500×400」を、ユーザ１の印刷設定とは異ならせている。
【００６３】
また、ユーザ３が用いた印刷設定は、「印刷の向き  縦」「拡大縮小印刷  100」「用紙サイズ  A4」「印刷品質  600」「先頭ページ番号  自動」「余白  0.5」「ページ中央  水平」「ページ/フッター  指定しない」「両面印刷  両面」「ページ集約  2」「フォントサイズ  10」「印刷範囲     600×500」「印刷ページ数  3」「印刷枚数  1」「印刷タイトル  技術説明書_03」「ファイル形式  ワードファイル」である。すなわち、ユーザ３は、「ページ集約  2」「両面印刷  両面」「印刷ページ数  3」「印刷範囲  600×500」を、ユーザ１の印刷設定とは異ならせている。
【００６４】
また、ユーザ４が用いた印刷設定は、「印刷の向き  縦」「拡大縮小印刷      100」「用紙サイズ  A3」「印刷品質  600」「先頭ページ番号  自動」「余白  0.5」「ページ中央  水平」「ページ/フッター  指定しない」「両面印刷  片面」「ページ集約  4」「フォントサイズ  8」「印刷範囲    700×600」「印刷ページ数  4」「印刷枚数  1」「印刷タイトル  技術説明書_04」「ファイル形式  ワードファイル」である。すなわち、ユーザ３は、「ページ集約  4」「印刷ページ数  4」「印刷範囲  700×600」を、ユーザ１の印刷設定とは異ならせている。
【００６５】
この場合において、印刷形式解析部３０５は、上記とは異なる他の共通印刷形式の検出方法を用いる。印刷形式解析部３０５は、まず、上記例と同様に、「印刷範囲」及び「印刷枚数」に注目する。印刷形式解析部３０５は、この例の場合、「印刷範囲」の値は互いに異なり複数存在している、「印刷枚数」は1枚を採用している、という傾向があることを検出する。そして、共通印刷形式解析部３０５は、各ユーザが用いた印刷設定間において値に変化が見られる他の項目を検出する。そして、共通印刷形式解析部３０５は、図８に示す例でいうと、「拡大縮小印刷」「用紙サイズ」「余白」「フォントサイズ」「印刷範囲」「両面印刷」「ページ集約」「印刷ページ数」「印刷枚数」に注目し、「両面印刷」「ページ集約」「印刷ページ数」「印刷範囲」を、各印刷設定間において値に変化が見られる項目として検出する。
【００６６】
さらに、共通印刷形式解析部３０５は、「印刷範囲」が大きくなるに連れて、「両面印刷」「ページ集約」「印刷ページ数」がどのように変化しているかを解析する。共通印刷形式解析部３０５は、「印刷範囲」が小さい順に各印刷設定を検討して、「印刷範囲」が大きくなって「印刷ページ数」が増えると、「ページ集約」が最初に変更され、次に「両面印刷」が変更されていることを検出する。また、共通印刷形式解析部３０５は、(i)「ページ集約」と「両面印刷」との関係では、「印刷範囲」が大きくなって「印刷ページ数」が「2」まで増えると、先に「ページ集約」がまず「2」まで変更され、「両面印刷」は「片面」のまま維持されていること、(ii)さらに「印刷範囲」が大きくなって「印刷ページ数」が「3」まで増えると、「ページ集約」は「2」のままで「両面印刷」が「両面」に変更され、(ii)さらに「印刷範囲」が大きくなって「印刷ページ数」が「4」まで増えると、「ページ集約」が「4」に変更され、「両面印刷」は「片面」に変更されることを検出する。
【００６７】
これにより、印刷形式解析部３０５は、(a)「印刷範囲」及び「印刷枚数」に注目した場合、各ユーザは「印刷枚数  1」を共通して採用していること、(b)「印刷範囲」「印刷ページ数」が大きくなると「拡大縮小印刷」「余白」「用紙サイズ」「フォントサイズ」はそのままで、「ページ集約」及び「両面印刷」が「ページ集約」から変更され始めること、(c)「ページ集約」及び「両面印刷」の両方を変更しても「印刷枚数  1」にならない場合は次に「ページ集約」を変更するが、この場合は「ページ集約」を「4」に変更する、という傾向を検出する。
【００６８】
Ｓ１１で受信したプリントジョブの印刷設定が、例えば、印刷範囲「500×400」とされ、「拡大縮小印刷  100」「余白  2.5」「用紙サイズ  A4」「ページ集約  なし」「両面印刷  片面」「印刷ページ数  2」「印刷枚数  2」となっているとき、印刷範囲の広狭に拘わらず、印刷枚数は1枚を採用する傾向に反していると判断部３０６により判断されるため、設定部３０３は、「印刷枚数  2」を「印刷枚数  1」に変更すると共に、「印刷範囲  500×400」を「印刷枚数  1」での印刷が可能とするために、上記変更された項目として検出されている「ページ集約」及び「両面印刷」に注目し、上記傾向に準じて先に「ページ集約」、次に「両面印刷」の順に、上記解析で得られた変更値を採用して変更して「印刷ページ数  1」となるようにする。設定部３０３は、この例では、まず「ページ集約」を「2」に変更する。この変更により、「印刷範囲  500×400」は「印刷枚数  1」での印刷が可能となるので、設定部３０３は、設定変更をここで終了する。
【００６９】
また、更に別の例としては、当該プリントジョブが印刷範囲「600×500」とされ、「拡大縮小印刷  100」「余白  2.5」「用紙サイズ  A4」「ページ集約  なし」「両面印刷  片面」「印刷ページ数  3」「印刷枚数  3」となっているとき、印刷範囲の広狭に拘わらず、印刷枚数は1枚を採用する傾向に反しているため、設定部３０３は、「印刷枚数  2」を「印刷枚数  1」に変更すると共に、「印刷範囲  600×500」を「印刷枚数  1」での印刷が可能とするために、上記変更されている項目として検出した「ページ集約」「両面印刷」について、上記傾向が示す「ページ集約」「両面印刷」の順に、上記解析で得られた変更値を採用して変更し、「印刷ページ数  1」となるようにする。この例では、設定部３０３は、まず「ページ集約」を「2」に変更する。このままでは、印刷枚数1に収まらないので、設定部３０３は、上記傾向に従って次に「両面印刷」を「両面」に更に変更する。この変更により、「印刷範囲600×500」は「印刷枚数  1」での印刷が可能となるので、設定部３０３は、設定変更をここで終了する。
【００７０】
これにより、当該取得された印刷設定の設定項目を上記共通印刷形式に合うように変更するに止まらず、当該過去の印刷設定の設定項目の変更経歴が示す傾向に従った更にユーザの好みに適していると想定された印刷設定での印刷が可能になる。
【００７１】
これにより、ユーザは、特別な操作を行うことなく、プリントジョブによる過去の印刷履歴からユーザの好みに適していると想定された上記共通印刷形式を示す印刷設定での印刷が可能になる。
【００７２】
なお、当該実施形態及び各例では、印刷形式解析部３０５が、共通印刷形式を解析すると共に、過去の印刷設定の設定項目の変更経歴が示す傾向を解析し、当該傾向に従った印刷内容となるように、Ｓ１１で受信した印刷設定の各設定項目を変更しているが、印刷形式解析部３０５は共通印刷形式を解析するまでに止まり、設定部３０３は、Ｓ１１で受信した印刷設定が当該共通印刷形式の示す印刷内容を実現するに足りる値であると判断部３０６により判断されれば、当該Ｓ１１で受信した印刷設定の各設定項目の値を変更せず、一方、当該Ｓ１１で受信した印刷設定が、解析された上記共通印刷形式に不一致であると判断部３０６により判断された場合に、当該Ｓ１１で受信した印刷設定の設定項目を、解析された上記共通印刷形式を示す内容に変更するようにしてもよい。
【００７３】
次に、画像形成装置１による印刷時の処理において共通印刷形式を解析する場合の第２実施形態を説明する。図９は画像形成装置１による印刷時の処理において共通印刷形式を解析する場合の第２実施形態を示す図である。なお、当該第２実施形態の説明においては、第１実施形態と同様の処理は説明を省略する。
【００７４】
この第２実施形態では、印刷形式解析部３０５は、ユーザ固有の識別情報が示す当該ユーザ毎に、上記共通印刷形式の解析を行う。
【００７５】
画像形成装置１においては、電源ＯＮ後、表示制御部３０２が、表示部４０６に図１０に示すような識別情報（例えば、ユーザID）の入力画面Ｇ２を表示させる（Ｓ２１）。ここで、操作部４００のテンキー４０２の操作により例えば4桁の数字からなる各ユーザ固有の識別情報（ユーザＩＤ等）が操作者により入力され、入力画面Ｇ２上に表示されたOKボタンＢ２が押下されることで、タッチパネル機能により、識別情報入力部としての操作部４００に当該識別情報が受け付けられると（Ｓ２２でＹＥＳ）、制御部３０１は、当該入力された識別情報が、内蔵するメモリ（データ記憶部６００等の他の記憶部でも構わない）に記憶している予め定められた識別情報（画像形成装置１の操作が許可されている識別情報）に一致するか否かを判断し、一致する場合には（Ｓ２３でＹＥＳ）、当該識別情報に対して画像形成装置１へのログインを許可する（Ｓ２４）。なお、制御部３０１によって、当該入力された識別情報が当該予め定められた識別情報一致しないと判断された場合には（Ｓ２３でＮＯ）、制御部３０１は、当該入力された識別情報に対して画像形成装置１へのログインを許可せず、処理は終了する。
【００７６】
そして、ネットワークＩ／Ｆ部５０３が、画像形成装置１にネットワーク接続されているパーソナルコンピュータ等から、印刷対象データを含むプリントジョブを受信すると（Ｓ２５でＹＥＳ）、制御部３０１が、共通印刷形式の解析を実行する旨の設定がされているか否かを判断する（Ｓ２６）。
【００７７】
制御部３０１が、共通印刷形式の解析を実行する旨の設定がされていると判断すると（Ｓ２６でＹＥＳ）、例えば、図１１に示すように、印刷形式解析部３０５が、印刷設定記憶部３０４から上記入力された識別情報に対応するユーザ（User 001 ）の印刷設定を抽出し、当該抽出した各印刷設定が示す設定項目に基づいて共通印刷形式の解析を実行する（Ｓ２６，Ｓ２７）。
【００７８】
上記抽出した各印刷設定が示す設定項目について印刷形式解析部３０５が行う共通印刷形式の解析は、当該抽出した各印刷設定が示す設定項目を対象として行う以外、第１実施形態で示した共通印刷形式の解析と同様にして行う。
【００７９】
この第２実施形態によれば、何ら特別な操作を行うことなく、識別情報を入力したユーザは、過去の履歴から当該ユーザ自身の好みに適していると想定される上記共通印刷形式を示す印刷設定での印刷を行うことが可能になる。
【００８０】
なお、当該第２実施形態においても、第１実施形態と同様に、上記入力された識別情報毎に印刷形式解析部３０５は共通印刷形式を解析するまでに止まり、設定部３０３は、受信した印刷設定が当該共通印刷形式の示す印刷内容を実現するに足りる値であると判断部３０６により判断されれば、当該受信した印刷設定の各設定項目の値を変更せず、一方、当該受信した印刷設定が、解析された上記共通印刷形式に不一致であると判断部３０６により判断された場合に、当該受信した印刷設定の設定項目を、解析された上記共通印刷形式を示す内容に変更することが行われるようにしてもよい。
【００８１】
また、他の実施形態としては、例えば、ファイル形式別又はファイル名別に、上記共通印刷形式の解析及び設定処理を行うことも可能である。ここでも上記図９を用いて説明する。
【００８２】
上記第２実施形態と同様に、ネットワークＩ／Ｆ部５０３が、画像形成装置１にネットワーク接続されているパーソナルコンピュータ等から、印刷対象データを含むプリントジョブを受信すると（Ｓ２５でＹＥＳ）、制御部３０１が、共通印刷形式の解析を実行する旨の設定がされているか否かを判断する（Ｓ２６）。
【００８３】
そして、当該他の実施形態では、制御部３０１が、共通印刷形式の解析を実行する旨の設定がされていると判断すると（Ｓ２６でＹＥＳ）、印刷形式解析部３０５が、印刷設定記憶部３０４からファイル形式別又はファイル名別に印刷設定を抽出し、当該抽出した各印刷設定が示す設定項目に基づいて共通印刷形式の解析を実行する（Ｓ２７）。上記抽出した各印刷設定が示す設定項目について印刷形式解析部３０５が行う共通印刷形式の解析は、当該抽出した各印刷設定が示す設定項目を対象として行う以外、第１実施形態で示した共通印刷形式の解析と同様にして行う。
【００８４】
当該印刷形式解析部３０５によるファイル形式別の上記共通印刷形式の解析を、印刷設定記憶部３０４に下記図１２に示す６つの印刷設定が記憶されている場合を例にして説明する。
【００８５】
上記Ｓ２５で受信したプリントジョブの示す印刷設定のファイル形式が例えば「ワード（登録商標）ファイル」であるとき、印刷形式解析部３０５が、ファイル形式として当該「ワードファイル」を有する印刷設定のみを印刷設定記憶部３０４から抽出する。印刷設定記憶部３０４に下記図１２に示す６つの印刷設定、すなわち、ファイル形式がワードファイルである印刷設定が４つ、ファイル形式がエクセル（登録商標）ファイルである印刷設定が２つ記憶されている場合、印刷形式解析部３０５が、ファイル形式として当該「ワードファイル」を有する４つの印刷設定を抽出する。印刷形式解析部３０５は、当該抽出後されたファイル形式がワードファイルである４つの印刷設定の各設定項目についての共通印刷形式の解析を、第１実施形態で示した共通印刷形式の解析と同様にして行う。
【００８６】
さらに、印刷タイトル別に、印刷形式解析部３０５が上記共通印刷形式の解析処理を行う場合の例を説明する。例えば、印刷設定記憶部３０４に、図１３に示すような６つの印刷設定が記憶されている場合を例にして、当該ファイル名別の上記共通印刷形式の解析を説明する。
【００８７】
Ｓ２５で受信したプリントジョブの示す印刷設定の「印刷タイトル」が「進捗表」である場合、印刷形式解析部３０５が、「印刷タイトル」として「進捗表」を有する４つの印刷設定のみを印刷設定記憶部３０４から抽出する。
【００８８】
ここで、ユーザ１の印刷設定は、「印刷の向き  縦」「拡大縮小印刷  50」「用紙サイズ  A4」「印刷品質  600」「先頭ページ番号  自動」「余白  2.5」「ページ中央  水平」「ページ/フッター  指定しない」「両面印刷  片面」「ページ集約  なし」「フォントサイズ  10」「印刷範囲  250×200」「印刷ページ数  1」「印刷枚数  1」「印刷タイトル  進捗表_01」「ファイル形式  エクセルファイル」である。
【００８９】
また、ユーザ３の印刷設定は、「印刷の向き  縦」「拡大縮小印刷    50」「用紙サイズ  A4」「印刷品質  600」「先頭ページ番号  自動」「余白  2.5」「ページ中央  水平」「ページ/フッター  指定しない」「両面印刷  両面」「ページ集約  なし」「フォントサイズ  10」「印刷範囲  500×400」「印刷ページ数  3」「印刷枚数  2」「印刷タイトル  進捗表_02」「ファイル形式  エクセルファイル」である。
【００９０】
また、ユーザ５の印刷設定は、「印刷の向き  縦」「拡大縮小印刷  50」「用紙サイズ  A4」「印刷品質  600」「先頭ページ番号  自動」「余白  2.5」「ページ中央  水平」「ページ/フッター  指定しない」「両面印刷  両面」「ページ集約  なし」「フォントサイズ  10」「印刷範囲  600×500」「印刷ページ数  4」「印刷枚数  2」「印刷タイトル  進捗表_03」「ファイル形式  エクセルファイル」である。
【００９１】
また、ユーザ６の印刷設定は、「印刷の向き  縦」「拡大縮小印刷  50」「用紙サイズ  A4」「印刷品質  600」「先頭ページ番号  自動」「余白     2.5」「ページ中央  水平」「ページ/フッター  指定しない」「両面印刷  両面」「ページ集約  なし」「フォントサイズ  10」「印刷範囲  800×600」「印刷ページ数  5」「印刷枚数  3」「印刷タイトル  進捗表_04」「ファイル形式  エクセルファイル」である。
【００９２】
共通印刷形式解析部３０５は、本例では共通印刷形式の検出方法として、「印刷範囲」及び「印刷枚数」に注目する方法を用いる。この例の場合、共通印刷形式解析部３０５は、「印刷範囲」の値は互いに異なり複数存在していることと、「拡大縮小印刷」は「50」が共通して採用されている、という傾向があることを検出する。そして、共通印刷形式解析部３０５は、各ユーザが用いた印刷設定間において値に変化が見られる他の項目を検出する。図１３に示す例の場合、共通印刷形式解析部３０５は、「両面印刷」「印刷範囲」「印刷ページ数」「印刷枚数」に注目する。印刷形式解析部３０５は、(i)「印刷ページ数」と「両面印刷」との関係では、「印刷範囲」が大きくなって「印刷ページ数」が「3」まで増えると、「印刷枚数」がまず「2」まで変更され、「両面印刷」は「両面」とされる（「ページ集約」は「なし」）、(ii)さらに「印刷範囲」が大きくなって「印刷ページ数」が「4」まで増えると、「印刷枚数」が「2」とされ、「両面印刷」は「両面」とされる（「ページ集約」は「なし」を維持）、 (iii)さらに「印刷範囲」が大きくなって「印刷ページ数」が「5」まで増えると、「印刷枚数」が「3」とされ、「両面印刷」は「両面」とされる（「ページ集約」は「なし」を維持）、という傾向を検出する。さらに、共通印刷形式解析部３０５は、「印刷ページ数」が1の場合は「両面印刷  片両面」が採用され、「印刷ページ数」が2以上の場合は「両面印刷  両面」が採用され、「印刷枚数」は、当該「印刷ページ数」の増加と「両面印刷」が「両面」になることで定まる必要な枚数の値が採用されるという傾向を検出する。
【００９３】
ここで、Ｓ１１で受信したプリントジョブの印刷設定が、例えば、当該プリントジョブの示す印刷設定の印刷範囲「800×600」とされ、「両面印刷  両面」「ページ集約  2」「印刷ページ数  3」「印刷枚数  1」となっているときは（他の設定項目は図１３に示したものと同様）、印刷形式解析部３０５により解析された上記傾向に反しているため、設定部３０３は、む「印刷枚数  1」を「印刷枚数  2」に変更すると共に、「ページ集約  なし」に変更する。
【００９４】
これらの例によれば、ユーザは、何ら特別な操作を行うことなく、過去の履歴からユーザの好みに適していると想定される上記共通印刷形式を示す印刷設定での印刷を、ファイル形式又はファイル名毎に行うことが可能になる。
【００９５】
なお、当該他の実施形態においても、第１実施形態と同様に、印刷形式解析部３０５は共通印刷形式を解析するまでに止まり、設定部３０３は、受信した印刷設定が当該共通印刷形式の示す印刷内容を実現するに足りる値であると判断部３０６により判断されれば、当該受信した印刷設定の各設定項目の値を変更せず、一方、当該受信した印刷設定が、解析された上記共通印刷形式に不一致であると判断部３０６により判断された場合に、当該受信した印刷設定の設定項目を、解析された上記共通印刷形式を示す内容に変更するようにしてもよい。また、入力された識別情報毎に当該共通印刷形式の解析が行われ、当該共通印刷形式に合わせた印刷設定の設定項目変更が行われるようにしてもよい。
【００９６】
なお、本発明は上記実施の形態の構成に限られず種々の変形が可能である。例えば、上記各実施形態では、印刷形式解析部３０５は、上記共通印刷形式の解析を、印刷設定記憶部３０４に記憶されている全ての印刷設定を対象とする、ユーザの識別情報毎に印刷設定記憶部３０４から抽出した印刷設定を対象とする、ファイル形式種別又はファイル名別に印刷設定記憶部３０４から抽出した印刷設定を対象とする、のいずれかにより行っているが、印刷形式解析部３０５による共通印刷形式の解析はこれに限定されない。例えば、印刷形式解析部３０５は、上記識別情報、ファイル形式種別、及びファイル名のうちいずれか２つ以上の条件を兼ね備えた印刷設定を印刷設定記憶部３０４から抽出し、当該抽出した印刷設定を対象として上記共通印刷形式の解析を行うことも可能である。
【００９７】
また、印刷形式解析部３０５が、ファイル形式種別毎に抽出した印刷設定を対象として上記共通印刷形式を解析する場合に、ネットワークＩ／Ｆ部５０３により受信されたプリントジョブの示す印刷設定の「ファイル形式」と同一の「ファイル形式」を有する印刷設定が印刷設定記憶部３０４に記憶されていないと判断したときは、印刷形式解析部３０５は、印刷設定記憶部３０４に記憶されている複数の印刷設定において最も多く用いられている「ファイル形式」を検出すると共に、当該検出した「ファイル形式」を有する複数の印刷設定を対象として、上記第１実施形態と同様にして共通印刷形式の解析を行うようにしてもよい。この場合、設定部３０３が、この解析により得られた共通印刷形式及び傾向を用いて、上記受信されたプリントジョブの示す印刷設定の各設定項目を変更する。
【００９８】
また、印刷形式解析部３０５が、ファイル名別に抽出した印刷設定を対象として上記共通印刷形式を解析する場合に、ネットワークＩ／Ｆ部５０３により受信されたプリントジョブの示す印刷設定の「ファイル名」と同一の「ファイル名」を有する印刷設定だけでなく、当該受信されたプリントジョブの示す印刷設定の「ファイル名」と類似する「ファイル名」を有する印刷設定までを含めた複数の印刷設定を対象として、上記第１実施形態と同様にして共通印刷形式の解析を行うようにしてもよい。例えば、「ファイル名」が少なくとも文字を含み、記号又は数字も当該「ファイル名」に含まれている場合、印刷形式解析部３０５は、上記受信されたプリントジョブの示す印刷設定の「ファイル名」の文字部分と、印刷設定記憶部３０４に記憶されている各印刷設定の「ファイル名」の文字部分とが一致するか否かを判断し、上記受信されたプリントジョブの示す印刷設定の「ファイル名」の文字部分と文字部分が一致する印刷設定記憶部３０４の印刷設定は、上記受信されたプリントジョブの示す印刷設定の「ファイル名」と類似する「ファイル名」を有する「印刷設定」であると判断する。なお、この場合も、設定部３０３が、この解析により得られた共通印刷形式及び傾向を用いて、上記受信されたプリントジョブの示す印刷設定の各設定項目を変更する。
【符号の説明】
【００９９】
１          画像形成装置
１３０      画像形成部
３００      制御ユニット
３０１      制御部
３０２      表示制御部
３０３      設定部
３０４      印刷設定記憶部
３０５      印刷形式解析部
３０６      判断部
３０７      識別情報記憶部
４００      操作部
４０６      表示部
５０３      ネットワークＩ／Ｆ部
６００      データ記憶部
【図１】
0005667898.tif 000002
【図２】
0005667898.tif 000003
【図３】
0005667898.tif 000004
【図４】
0005667898.tif 000005
【図５】
0005667898.tif 000006
【図６】
0005667898.tif 000007
【図７】
0005667898.tif 000008
【図８】
0005667898.tif 000009
【図９】
0005667898.tif 000010
【図１０】
0005667898.tif 000011
【図１１】
0005667898.tif 000012
【図１２】
0005667898.tif 000013
【図１３】
0005667898.tif 000014